(57)【要約】【課題】  心柱ユニットを積み上げ施工する螺旋階段において、踏板位置決め手段の構成を簡略にして受け材（腕木）を省略し、外観デザインのシンプル化を促進する。踏板の有効幅を広く確保した上で、設置スペースを小さく収める。【解決手段】  心柱ユニット１を段積みして形成した心柱に踏板３が複数段に亘って螺旋状に配列されている。相隣接段の２つの踏板３，３の心柱周囲での隔たり角度θを定める踏板位置決め手段Ａを備える。踏板位置決め手段Ａが第１位置決め機構Ａ１と第２位置決め機構Ａ２とでなり、これらの位置決め機構が、複数の孔部１２と、ピン部材６によって形成された突起６１，６２と、凹入状の係止部３３，３４とを備える。【選択図】        図３
2005220656.tif 000002
【特許請求の範囲】
【請求項１】
心柱ユニットを複数段に亘って上下方向同心状に積み上げて形成された心柱ユニット群により心柱が形成され、その心柱ユニット群の周囲に踏板が複数段に亘って螺旋状に配列され、かつ、各段の踏板の内側端部が、相隣接段に位置する上下２つの心柱ユニットの相互間で挾まれていると共に、相隣接段に位置する２つの踏板の心柱周囲での隔たり角度を定める踏板位置決め手段を備えている螺旋階段において、
上記踏板位置決め手段が、相隣接段に位置する上下２つの上記心柱ユニットのうちの片側心柱ユニットを踏板の内側端部の定位置に位置決めする第１位置決め機構と、相隣接段に位置する上下２つの上記心柱ユニットのうちの他側心柱ユニットを踏板の内側端部の定位置に位置決めする第２位置決め機構とでなり、
上記第１位置決め機構が、踏板の内側端部と片側心柱ユニットとのうちの一方側部材に設けられて円環状に配列された複数の凹部と、それらのうちの他方側部材に設けられて基準となる特定の上記凹部に上下方向で嵌脱可能な凸部と、踏板に設けられて片側心柱ユニットを係止することにより特定の上記凹部に嵌合された上記凸部を中心として当該片側心柱ユニットが踏板に対して位置ずれすることを阻止する係止部と、を備えていることを特徴とする螺旋階段。
【請求項２】
心柱ユニットを複数段に亘って上下方向同心状に積み上げて形成された心柱ユニット群により心柱が形成され、その心柱ユニット群の周囲に踏板が複数段に亘って螺旋状に配列され、かつ、各段の踏板の内側端部が、相隣接段に位置する上下２つの心柱ユニットの相互間で挾まれていると共に、相隣接段に位置する２つの踏板の心柱周囲での隔たり角度を定める踏板位置決め手段を備えている螺旋階段において、
上記踏板位置決め手段が、相隣接段に位置する上下２つの上記心柱ユニットのうちの片側心柱ユニットを踏板の内側端部の定位置に位置決めする第１位置決め機構と、相隣接段に位置する上下２つの上記心柱ユニットのうちの他側心柱ユニットを踏板の内側端部の定位置に位置決めする第２位置決め機構とでなり、
上記第２位置決め機構が、踏板の内側端部と他側心柱ユニットとのうちの一方側部材に設けられて円環状に配列された複数の凹部と、それらのうちの他方側部材に設けられて任意の上記凹部に上下方向で嵌脱可能な凸部と、踏板に設けられて他側心柱ユニットを係止することにより上記凹部に嵌合された上記凸部を中心として当該他側心柱ユニットが踏板に対して位置ずれすることを阻止する係止部と、を備えていることを特徴とする螺旋階段。
【請求項３】
上記凹部が、上記心柱ユニットに等角度おきに具備されてその心柱ユニットを軸方向に貫通する孔部でなり、上記凸部が、上記踏板の内側端部に突出されて上記孔部に上下方向で嵌脱可能な突起でなり、上記係止部が、踏板の内側端部に形成されて円柱状の上記心柱ユニットの端部が嵌合される円形の凹入部でなる請求項１又は請求項２に記載した螺旋階段。
【請求項４】
第１及び第２の各位置決め機構のそれぞれの突起を、踏板の内側端部に貫通されてその厚さ方向の両側に突出するピン部材の下端側突出部と上端側突出部とによって各別に形成してなる請求項３に記載した螺旋階段。
【請求項５】
上記心柱ユニットは、長尺管状のアルミニウム製押出し成形材を長手方向複数箇所で切断して分割することにより形成されていて、上記凹部としての上記孔部がその心柱ユニットの管壁相当部を軸方向に貫通している請求項３又は請求項４に記載した螺旋階段。
【請求項６】
踏板の外側端部から立ち上げられた小柱によって手摺りが支持されていると共に、その小柱に相隣接段の２つの踏板のそれぞれの外側端部を固定することによってそれら２つの踏板の外側端部の上下方向の相互間隔が規制されている請求項１ないし請求項５のいずれか１項に記載した螺旋階段。
【請求項７】
上記心柱ユニットに挿通された雄ねじを有するロッド状の芯体が、その心柱ユニットの上に重ね合わされた踏板の内側端部に開設されている挿通孔を貫通していて、その芯体の雄ねじにねじ込まれて締め付けられたナット体によって踏板の上記内側端部が上記心柱ユニットに押し付けられている請求項１ないし請求項６のいずれか１項に記載した螺旋階段。
【請求項８】
下段側の踏板の内側端部を心柱ユニットに押し付けている上記ナット体に、上段側の踏板の内側端部を心柱ユニットに押し付けるナット体がねじ込まれる雄ねじを有するロッド状の芯体の下端部がねじ込まれている請求項７に記載した螺旋階段。
【発明の詳細な説明】
【技術分野】
【０００１】
本発明は、心柱の周囲に踏板が複数段に亘って螺旋状に配列された螺旋階段、特に、心柱が心柱ユニットを複数段に亘って上下方向同心状に積み上げて形成される心柱ユニット群により形成されていて、心柱周囲での下段側踏板とそれに隣接する上段側踏板との相互間の隔たり角度を定める踏板位置決め手段を備えている螺旋階段に関する。
【背景技術】
【０００２】
一般的な螺旋階段は、床面から立ち上がった心柱の周囲に踏板を所要段数に亘って螺旋状に並べて配列し、それらの踏板から立ち上げた小柱によって手摺りを支え、その手摺りの下端と上端とを、下階側の親柱と上階側の親柱とに各別に連結した構成を備えている。また、螺旋階段は、人が下階と上階との間で行き来するための通路としての用途のほか、家屋居住区のインテリア性を高めるための用途や、踏板を小物の置き棚として用いるという飾り棚としての用途など、様々な用途に用いられている。
【０００３】
２階家などで上下階の間を昇降するために使用される螺旋階段の従来例が提案されており（たとえば特許文献１参照）、この螺旋階段についての心柱の構造や踏板位置決め手段などを図１１及び図１２を参照して説明する。
【０００４】
この螺旋階段では、木製円柱状の短い心柱ユニット１００と、木製の踏板２００と、腕木としての木製の受け材３００とが用いられていて、心柱ユニット１００を複数段に亘って上下方向同心状に積み上げることによって形成される心柱ユニット群により心柱が形成されるようになっている。また、この螺旋階段では、心柱ユニット１００の外周の一箇所に第１嵌合溝１１０が備わり、踏板２００の裏側と表側とにそれぞれ第２嵌合溝２２０と第３嵌合溝２３０とが備わり、それらの第２及び第３の各嵌合溝２２０，２３０の位置は踏板２００の前後に位置ずれしている。
【０００５】
そして、図１１のように、心柱ユニット１００の第１嵌合溝１１０に受け材３００の内側端縁３１０を嵌め込み、その上に重ね合わされた踏板２００の第２嵌合溝２２０に受け材３００の上側端縁３２０を嵌め込むことによって、心柱１１に対して踏板２００を周方向で位置決めするようにしている。また、図１２のように、踏板２００と受け材３００とが取り付けられた心柱ユニット１００を上下方向同心状に積み上げることによって踏板２００の内側端部２１０を相隣接段に位置する上下２つの心柱ユニット１００，１００によって挾み、しかも、下段側踏板２００の第３嵌合溝２３０にその上側に配備された受け材３００の下側端縁３３０を嵌め込むことによって、下段側踏板２００とそれに隣接する上段側踏板２００との相互間の心柱ユニット１０１の周方向での隔たり角度を定めている。なお、４００は締付けボルトで、相隣接段に位置している踏板２００の内側端部２１０や心柱ユニット１００に形成された挿通孔に挿入され、その下側に配置される同様の締付けボルト（不図示）の頭部に備わっているねじ孔４１０にねじ込まれる。
【０００６】
ここで説明した従来の螺旋階段では、相隣接段の踏板２００，２００の相互間の心柱ユニット群の周方向での隔たり角度を定める踏板位置決め手段が、心柱ユニット１００の第１嵌合溝１１０と、踏板２００の第２嵌合溝２２０及び第３嵌合溝２３０と、それらの嵌合溝１１０，２２０，２３０に嵌合される受け材３００とによって形成されている。
【０００７】
図１１及び図１２を参照して説明した従来例では、短い心柱ユニット１００を積み上げることによって１本の長い心柱を構成することができるので、築後の家屋の内部で螺旋階段を組み付けることができるという利点がある。
【０００８】
【特許文献１】実公平７−５０５０７号公報
【発明の開示】
【発明が解決しようとする課題】
【０００９】
しかしながら、従来の螺旋階段では、その踏板位置決め手段に受け材３００が含まれているので受け材３００が余分に必要になり、そのために受け材３００を省略して外観デザインのシンプル化を促進するということが不可能であるという問題があった。
【００１０】
また、踏板位置決め手段に、心柱ユニット１００の第１嵌合溝１１０や踏板２００の第２嵌合溝２２０及び第３嵌合溝２３０が含まれていて、それらの嵌合溝１１０，２２０，２３０はそれぞれ心柱ユニット１００に縦溝加工を施したり、踏板２００に溝付け加工を施したりすることによって形成されるものであるので、それらの加工が煩わしく、加工コストが螺旋階段の製品コストに影響を及ぼし、その上、上記受け材３００が余分に必要になるといこととが相乗して製品コストが高くつくという問題があった。
【００１１】
さらに、第１嵌合溝１１０の加工を容易にすることなどのために心柱ユニット１００を木製としているため、心柱ユニット１００に要求される強度を満たすためにはその心柱ユニット１００の直径寸法をある程度長くすることが必要である。そのため、踏板２００の有効幅を長くするには、心柱ユニット１００の直径に見合って踏板２００の横幅を長くすることを余儀なくされるようになり、その結果、螺旋階段の直径が大きくなってその設置に必要な平面的スペースを小さく収めることが困難であるという問題もあった。
【００１２】
本発明は以上の問題に鑑みてなされたものであり、築後の家屋の内部で螺旋階段を組み付けることができるという従来例の利点をそのまま生かした上で、従来例の螺旋階段に採用されているよりも構成が簡単で製作コストが安くつく踏板位置決め手段を備えた螺旋階段を提供することを目的とする。
【００１３】
また、本発明は、従来例の受け材を省略することが可能であって、外観デザインのシンプル化を促進しやすい螺旋階段を提供することを目的とする。
【００１４】
さらに、本発明は、踏板位置決め手段の構成に工夫を講じて心柱ユニットをアルミニウム製押出し成形材で構成することを可能にし、そうすることによって螺旋階段の設置に必要な平面的スペースを小さく収めることが可能になる螺旋階段を提供することを目的とする。
【課題を解決するための手段】
【００１５】
本発明に係る螺旋階段は、心柱ユニットを複数段に亘って上下方向同心状に積み上げて形成された心柱ユニット群により心柱が形成され、その心柱ユニット群の周囲に踏板が複数段に亘って螺旋状に配列され、かつ、各段の踏板の内側端部が、相隣接段に位置する上下２つの心柱ユニットの相互間で挾まれていると共に、相隣接段に位置する２つの踏板の心柱周囲での隔たり角度を定める踏板位置決め手段を備えている。
【００１６】
そして、踏板位置決め手段が、相隣接段に位置する上下２つの上記心柱ユニットのうちの片側心柱ユニットを踏板の内側端部の定位置に位置決めする第１位置決め機構と、相隣接段に位置する上下２つの上記心柱ユニットのうちの他側心柱ユニットを踏板の内側端部の定位置に位置決めする第２位置決め機構とでなる。
【００１７】
また、上記第１位置決め機構が、踏板の内側端部と片側心柱ユニットとのうちの一方側部材に設けられて円環状に配列された複数の凹部と、それらのうちの他方側部材に設けられて基準となる特定の上記凹部に上下方向で嵌脱可能な凸部と、踏板に設けられて片側心柱ユニットを係止することにより特定の上記凹部に嵌合された上記凸部を中心として当該片側心柱ユニットが踏板に対して位置ずれすることを阻止する係止部と、を備えているという構成を採用することができるのに対し、上記第２位置決め機構が、踏板の内側端部と他側心柱ユニットとのうちの一方側部材に設けられて円環状に配列された複数の凹部と、それらのうちの他方側部材に設けられて任意の上記凹部に上下方向で嵌脱可能な凸部と、踏板に設けられて他側心柱ユニットを係止することにより上記凹部に嵌合された上記凸部を中心として当該他側心柱ユニットが踏板に対して位置ずれすることを阻止する係止部と、を備えているという構成を採用することができる。
【００１８】
この構成を備えた螺旋階段によると、心柱ユニットを上下方向同心状に積み上げることによって心柱としての心柱ユニット群が形成される構成を採用したので、築後の家屋の内部で螺旋階段を組み付けることができるという従来例の利点がそのまま生かされる。
【００１９】
また、この構成を備えた螺旋階段によると、踏板位置決め手段の第１位置決め機構の作用によって片側心柱ユニットと踏板との相対位置関係が一定に定まることに加え、その踏板と他側心柱ユニットとの相対位置関係が、踏板位置決め手段の第２位置決め機構の作用によって一定に定まる。そのため、上下方向同心状に積み上げられる下段側の心柱ユニットと上段側の心柱ユニットとの周方向での相対位置をずらせることによって、下段側踏板とそれに隣接する上段側踏板との相互間の上記心柱ユニット群の周方向での隔たり角度が、下段側の心柱ユニットと上段側の心柱ユニットとの周方向での相対位置のずれ角度と同じ角度に定まる。そして、踏板位置決め手段の第１位置決め機構や第２位置決め機構が、互いに嵌脱可能な凹部及び凸部と、係止部とによって形成されていて、図１１及び図１２で説明した従来例に見られる受け材を用いる必要がないので、踏板位置決め手段の構成が簡単になって製作コストが安くつき、螺旋階段の外観デザインのシンプル化も促進しやすくなる。なお、この発明において、凹部を心柱ユニットに設ける場合は凸部を踏板に設け、凹部を踏板に設ける場合は凸部を心柱ユニットに設ける。
【００２０】
本発明では、上記凹部が、上記心柱ユニットに等角度おきに具備されてその心柱ユニットを軸方向に貫通する孔部でなり、上記凸部が、上記踏板の内側端部に突出されて上記孔部に上下方向で嵌脱可能な突起でなり、上記係止部が、踏板の内側端部に形成されて円柱状の上記心柱ユニットの端部が嵌合される円形の凹入部でなる、という構成を採用することが可能である。この構成であれば、下段側の心柱ユニットと上段側の心柱ユニットとの周方向での相対位置を、相隣接する２つの上記孔部の開き角度分だけずらせて位置させることによって、相隣接段の２枚の踏板の隔たり角度が上記孔部の開き角度と同一になる。したがって、複数段に亘って積み上げられる心柱ユニットでの下段側の心柱ユニットに対するその上段側の心柱ユニットの周方向での位置を同一方向に上記開き角度分だけずらせることによって、複数段に亘る踏板が一定の隔たり角度を保って螺旋状に配列されるようになる。
【００２１】
本発明では、第１及び第２の各位置決め機構のそれぞれの突起を、踏板の内側端部に貫通されてその厚さ方向の両側に突出するピン部材の下端側突出部と上端側突出部とによって各別に形成することが可能である。これによれば、第１及び第２の各位置決め機構のそれぞれの突起を踏板に具備させることが容易に可能になり、踏板の内側端部を加工してそれらの突起を一体に形成する場合に比べて技術上の困難や煩わしさがなくなる。
【００２２】
本発明において、上記心柱ユニットは、長尺管状のアルミニウム製押出し成形材を長手方向複数箇所で切断して分割することにより形成されていて、上記凹部としての上記孔部がその心柱ユニットの管壁相当部を軸方向に貫通している、という構成を採用することが可能である。これによれば、凹部としての孔部を備えた心柱ユニットを容易にかつ安価に得ることが可能である上、凹部としての孔部の位置精度を容易に高めることができるという利点がある。
【００２３】
本発明において、心柱ユニットが長尺管状のアルミニウム製押出し成形材を長手方向複数箇所で切断して分割することにより形成されている場合には、芯柱ユニット群の直径を短くすることによって踏板の有効幅を拡げることが可能であり、そのようにすると、踏板の有効幅を広く確保することができるものでありながら、螺旋階段の設置に必要な平面的スペースを小さく収めることが可能になる。また、心柱ユニットが長尺管状のアルミニウム製押出し成形材を長手方向複数箇所で切断して分割することにより形成されているので、心柱ユニットを木製としている従来例に比べると、芯柱ユニット群の直径を短くしても、心柱ユニットないし心柱ユニット群に要求される強度を確保しやすい。
【００２４】
本発明では、踏板の外側端部から立ち上げられた小柱によって手摺りが支持されていると共に、その小柱に相隣接段の２つの踏板のそれぞれの外側端部を固定することによってそれら２つの踏板の外側端部の上下方向の相互間隔が規制されていることが望ましい。これによれば、心柱ユニット群から外方へ延び出た各段の踏板の外側端部の相互間隔が手摺りを支えている小柱によって一定に保たれる。
【００２５】
本発明では、上記心柱ユニットに挿通された雄ねじを有するロッド状の芯体が、その心柱ユニットの上に重ね合わされた踏板の内側端部に開設されている挿通孔を貫通していて、その芯体の雄ねじにねじ込まれて締め付けられたナット体によって踏板の上記内側端部が上記心柱ユニットに押し付けられている、という構成を採用することが可能である。これによれば、心柱ユニットや踏板を、下段側のものから上段側のものに向かって順に組み付けることが可能になって施工性が向上する。
【００２６】
本発明では、下段側の踏板の内側端部を心柱ユニットに押し付けている上記ナット体に、上段側の踏板の内側端部を心柱ユニットに押し付けるナット体がねじ込まれる雄ねじを有するロッド状の芯体の下端部がねじ込まれている、という構成を採用することが可能であり、これによれば、芯体の長さを短くして施工性を改善することが可能である。
【発明の効果】
【００２７】
以上のように、本発明に係る螺旋階段は、心柱ユニットを下から順に積み上げるという施工方式を採用することができるので、築後の家屋の内部で螺旋階段を組み付けることができるという従来例の利点をそのまま備えている。
【００２８】
その上、踏板位置決め手段の構成が従来例の螺旋階段に採用されているよりも簡単になって製作コストが安くつき、特に従来例の受け材を省略することができることにより、螺旋階段の外観デザインのシンプル化が促進しやすくなるという効果を奏する。また、踏板位置決め手段の構成に工夫を講じて心柱ユニットをアルミニウム製押出し成形材で構成することを可能にしたので、踏板の有効幅を広く確保した上で、螺旋階段の設置に必要な平面的スペースを小さく収めることが可能になるという卓越した効果が奏される。
【発明を実施するための最良の形態】
【００２９】
図１は本発明の実施形態に係る螺旋階段の外観図、図２は同螺旋階段を概略平面図で示した説明図、図３は同螺旋階段の部分分解斜視図、図４は踏板３の平面図、図５は踏板座金５の平面図、図６はピン部材を取り付けた踏板３の部分断面図、図７（Ａ）は心柱ユニット１の平面図、同（Ｂ）は同部分縦断側面図、図８は螺旋階段の部分縦断側面図、図９は踏板位置決め手段Ａの説明図、図１０は下段側踏板３ａと上段側踏板３ｂとの隔たり角度θを示した説明図である。
【００３０】
図１の螺旋階段では、同一長さの心柱ユニット１を複数段に亘って上下方向同心状に積み上げて形成された心柱ユニット群により心柱Ｐが形成されていて、その心柱Ｐの周囲に同一形状の踏板３が複数段に亘って螺旋状に配列されている。
【００３１】
図７（Ａ）（Ｂ）のように、心柱ユニット１は、短い円筒状ないし中空円柱状に形成されていて、その管壁相当部１１には周方向等角度おきの複数箇所（図例では１３箇所）に孔部１２が軸方向に貫通して形成されており、それらの孔部１２は円環状に並んでいると共に、それらの孔部１２のうちの特定の１つの孔部１２が基準孔部１２ａとして定められている。この実施形態において、心柱ユニット１は、長尺管状のアルミニウム製押出し成形材を長手方向複数箇所で切断して分割することにより形成されている。そのため、心柱ユニット１が大きな曲り剛性と硬度とを備えていると共に、円環状に配列されている複数の孔部１２の位置精度もきわめて高精度になっている。
【００３２】
また、図４のように、踏板３には、内側端部３１から円弧状の外側端縁３２に向かって次第に幅広になった扇形状の木板が用いられていて、その内側端部３１の表裏両面側の同心位置に同一大きさの円形の凹入部３３，３４（図６又は図８参照）が形成されていると共に、それらの凹入部３３，３４と同心位置にはそれらの凹入部３３，３４よりも径小の円形の挿通孔３５が形成されている。さらに、上記凹入部３３，３４内の偏心箇所の１箇所に貫通孔３６が備わっていて、この貫通孔３６に図６のように金属製のピン部材６の軸方向中間部が挿入されている。このピン部材６は軸方向中間部が太くその両側の端部が細くなった段付ピンでなる。そして、このピン部材６の下端部と上端部とは踏板３の内側端部３１の厚さ方向両側に突出していて、その下端側突出部が下向き突起６１とされ、上端側突出部が上向き突起６２とされている。また、踏板３の表裏の凹入部３３，３４のそれぞれに円形の踏板座金５が同心状に配備されている。図５のように、この踏板座金５はその偏心箇所に複数個の止具孔５１と１個の貫通孔５２とを備えていて、貫通孔５２は、上記した踏板３６の貫通孔３６よりも少し径小になっている。そして、図６のように、踏板３の表裏の凹入部３３，３４内にそれぞれ配備された踏板座金５，５の貫通孔５２，５２がピン部材５の下端側突出部と上端側突出部とにそれぞれ嵌め込まれていると共に、止具孔５１，５１（図５参照）を利用して止めねじや釘（不図示）でその踏板座金５，５が凹入部３３，３４内に固定されている。この状態では、踏板座金５，５の貫通孔５２，５２のそれぞれの孔縁部がピン部材６の段付箇所に対向してそのピン部材６が踏板３の貫通孔３６から抜け落ちることを防いでいる。また、踏板座金５，５の厚さ寸法は凹入部３３，３４の深さ寸法よりも小さくなっている。
【００３３】
この実施形態の螺旋階段では、１枚の踏板３とその踏板３の下側の１つの心柱ユニット１との組合せ体を図８に示した１つの階段ユニットＵとして考える。この階段ユニットＵでは、２枚の踏板座金５，５と１つのピン部材６とが取り付けられた踏板３の内側端部３１の裏側に心柱ユニット１が配備され、その心柱ユニット１の上端が踏板３の裏側の凹入部３３に嵌合されていると共に、踏板３に備わっている下向き突起６１が心柱ユニット１の基準孔部１２ａに嵌合されている。そして、この構成の階段ユニットＵにあっては、心柱ユニット１の上端が踏板３の凹入部３３に嵌合されていることにより、基準孔部１２ａに嵌合された下向き突起６１を中心として心柱ユニット１が踏板３に対して位置ずれすることが阻止され、下向き突起６１が基準孔部１２ａに嵌合していることにより、心柱ユニット１がそれ自体の軸線周りに回転して位置ずれすることが阻止される。したがって、芯柱ユニット１の複数の孔部１２と、それらの孔部１２のうちの基準孔部１２ａに嵌合されている下向き突起６１と、上記凹入部３３とが、心柱ユニット１を踏板３の内側端部３１の定位置に動かないように位置決めする機構、すなわち第１位置決め機構Ａ１を形成している。
【００３４】
これに対し、階段ユニットＵを、図８に示したように２段に積み上げた場合、すなわち、下段側の階段ユニットＵの踏板３の表側の凹入部３４に、上段側の階段ユニットＵの心柱ユニット１の下端を嵌合させることによって、下段側の階段ユニットＵの踏板３の内側端部３１を下段側の心柱ユニット１（片側心柱ユニット１ａ）と上段側の心柱ユニット１（他側心柱ユニット１ｂ）との相互間で挾むと共に、下段側の階段ユニットＵの踏板３に備わっている上向き突起６２を、他側心柱ユニット１ｂの基準孔部１２ａに隣接している孔部１２ｂに嵌合させたときには、他側心柱ユニット１ｂの下端が踏板３の表側の凹入部３４に嵌合されていることにより、孔部１２ｂに嵌合された上向き突起６２を中心として他側心柱ユニット１が下段側の階段ユニットＵの踏板３に対して位置ずれすることが阻止され、上向き突起６２が孔部１２ｂに嵌合していることにより、他側心柱ユニット１ｂがそれ自体の軸線周りに回転して位置ずれすることが阻止される。したがって、他側芯柱ユニット１ｂの複数の孔部１２と、それらの孔部１２のうちの基準孔部１２ａに隣接している孔部１２ｂに嵌合されている上向き突起６２と、上記凹入部３４とが、他側心柱ユニット１を踏板３の内側端部３１の定位置に位置決めする機構、すなわち第２位置決め機構Ａ２を形成している。
【００３５】
しかも、階段ユニットＵを図８に示したように２段に積み上げた場合には、図９又は図１０で示したように、片側心柱ユニット１ａの基準孔部１２ａと他側心柱ユニット１ｂの基準孔部１２ｂとが角度θだけ位置ずれするので、下段側踏板３ａと上段側踏板３ｂとの心柱ユニット１の周囲での隔たり角度が上記角度θと同一角度に定まる。したがって、上記した第１位置決め機構Ａ１と第２位置決め機構Ａ２とによって、相隣接段に位置する２つの踏板３ａ，３ｂの心柱周囲（心柱ユニット周囲）での隔たり角度を定める踏板位置決め手段Ａが形成されている。
【００３６】
次に施工手順の一例を説明する。
【００３７】
螺旋階段の設置スペースＳ（図２参照）の中央に、図１、図３又は図８に示されているナット付き座７を止具などによって固定する。次に、このナット付き座７のナット７１に、最下段の階段ユニットＵの心柱ユニット１を嵌合させることと、ナット７１に芯体８としての雄ねじを有するロッドをねじ込むこととを行って、踏板３の挿通孔３５に芯体８を貫通させる。この場合、芯体８には、踏板３の上側に少し突き出る程度の長さのものを用いる。そして、踏板３から突き出ている芯体８の上端部にばねワッシャ９を嵌め込み、その上からナット体７２をねじ込んで締め付けることにより、そのナット体７２によって踏板３の内側端部３１を心柱ユニット１に押し付ける。この作業を行うと、最下段の階段ユニットＵがナット付き座７に固定される。なお、ナット体７２は、上段側に上記同様の新体８を連結することに用い得る程度の長さを有している。また、ばねワッシャ９は必要がなければ省略することが可能である。
【００３８】
次に、最下段の階段ユニットＵの踏板３の表側の凹入部３４に、２段目の階段ユニットＵの心柱ユニット１の下端を嵌合させることと、ナット７２に上記同様の芯体８の下端をねじ込むこととを行って、２段目の踏板３の挿通孔３５にその芯体８を貫通させる。そして、２段目の踏板３から突き出ている芯体８の上端部に必要に応じてばねワッシャ９を嵌め込み、その上からナット体７２をねじ込んで締め付けることにより、そのナット体７２によって踏板３の内側端部３１を心柱ユニット１に押し付ける。この作業を行うと、２段目の階段ユニットＵが最下段の階段ユニットＵに連結される。このようにして２段目の階段ユニットＵの連結作業を行うときには、図９又は図１０などで説明したように、片側新柱ユニット１ａの基準孔部１２ａと他側心柱ユニット１ｂの基準孔部１２ｂとを角度θだけ位置ずれさせることによって、下段側踏板３ａと上段側踏板３ｂとの心柱ユニット１の周囲での隔たり角度を上記角度θと同一角度に定めておく。
【００３９】
以降の工程では、上記と同様にして階段ユニットＵを下段側から上段側に向けて順次連結していき、そのような階段ユニットＵの連結作業を終えた後、図１に示した手摺り１００を取り付ける。
【００４０】
この実施形態では、螺旋状の手摺り１００を、各段の踏板３の外側端部から立ち上げた小柱１１０によって支持させてある。また、手摺り１００を支えているそれぞれの小柱１１０には、相隣接段の２つの踏板３，３のそれぞれの外側端部を固定してそれら２つの踏板３，３の外側端部の相互間隔を一定に規制している。すなわち、図３で判るように、踏板３の外側端部の段尻部と、その上段側の踏板３の外側端部の段鼻部との間にスペーサ１１２を挾み込み、このスペーサ１１２を小柱１１０に連結具１１３を用いて結合することにより、そのスペーサ１１２が小柱１１０の一部を形成するように構成しておく。こうしておくと、心柱Ｐから外方へ延び出た各段の踏板３の外側端部の相互間隔が手摺り１００を支えている小柱１１０のスペーサ１１２によって一定に保たれるので、踏板３の垂下りなどが防止される。
【００４１】
この実施形態の螺旋階段によると、心柱ユニットを下から順に積み上げるという施工方式を採用することができるので、築後の家屋の内部で螺旋階段を組み付けることができる。
【００４２】
また、図１１や図１２で説明した受け材を用いることなく、しかも、熟練を必要とする溝付け加工などを行わずに、踏板位置決め手段Ａの作用により下段側踏板３ａとそれに隣接する上段側踏板３ｂとの相互間の隔たり角度θが定まるようになって、製作コストが安く、しかも、外観デザインがシンプルな螺旋階段を提供することができた。その上、心柱ユニット１として、長尺管状のアルミニウム製押出し成形材を長手方向複数箇所で切断して分割することにより形成したものを用いたことにより、心柱ユニット１を径小にして踏板３の有効幅を拡げても心柱ユニット１の必要強度が満たされるようになった。そのため、踏板３の有効幅を広く確保した上で、螺旋階段の設置に必要な平面的スペースを小さく収めることができた。
【００４３】
この実施形態では、第１位置決め機構Ａ１が、片側芯柱ユニット１の複数の孔部１２と、踏板３側の下向き突起６１と、踏板３の凹入部３３とによって構成されているけれども、上記孔部１２を凹部に変更し、上記下向き突起６１を踏板３に一体に設けた凸部に変更し、上記凹入部３３を段付状の係止部に変更することが可能である。また、第２位置決め機構Ａ２が、他側芯柱ユニット１ｂの複数の孔部１２と、それらの孔部１２のうちの基準孔部１２ａに隣接している孔部１２ｂに嵌合されている上向き突起６２と、踏板３の凹入部３４とによって構成されているけれども、上記孔部１２を凹部に変更し、上記上向き突起６２を踏板３に一体に設けた凸部に変更し、上記凹入部３４を段付状の係止部に変更することが可能である。
【００４４】
この実施形態では、心柱ユニット１と踏板３とでなる階段ユニットＵを下から順に複数段に亘って上方へ積み上げていくことによって螺旋階段を形作る手順を説明したけれども、この点は、たとえば、心柱ユニット１と踏板３とをこの順に下から順に積み上げることによって螺旋階段を施工することも可能である。
【図面の簡単な説明】
【００４５】
【図１】本発明の実施形態に係る螺旋階段の外観図である。
【図２】同螺旋階段を概略平面図で示した説明図である。
【図３】同螺旋階段の部分分解斜視図である。
【図４】踏板の平面図である。
【図５】踏板座金の平面図である。
【図６】ピン部材を取り付けた踏板の部分断面図である。
【図７】（Ａ）は心柱ユニットの平面図、（Ｂ）は同部分縦断側面図である。
【図８】螺旋階段の部分縦断側面図である。
【図９】踏板位置決め手段の説明図である。
【図１０】下段側踏板と上段側踏板との隔たり角度を示した説明図である。
【図１１】従来例の踏板位置決め手段の分割斜視図である。
【図１２】従来例の螺旋階段の要部の概略斜視図である。
【符号の説明】
【００４６】
Ａ  踏板位置決め手段
Ａ１  第１位置決め機構
Ａ２  第２位置決め機構
θ  隔たり角度
１  心柱ユニット
３  踏板
３ａ  片側心柱ユニット
３ｂ  他側心柱ユニット
６  ピン部材
８  芯体
１１  管壁相当部
１２，１２ｂ  孔部（凹部）
１２ａ  基準孔部（基準となる特定の凹部）
３１  踏板の内側端部
３３，３４  凹入部（係止部）
６１  下向き突起（凸部）
６２  上向き突起（凸部）
７２  ナット体
１００  手摺り
１１０  小柱
【図１】
2005220656.tif 000003
【図２】
2005220656.tif 000004
【図３】
2005220656.tif 000005
【図４】
2005220656.tif 000006
【図５】
2005220656.tif 000007
【図６】
2005220656.tif 000008
【図７】
2005220656.tif 000009
【図８】
2005220656.tif 000010
【図９】
2005220656.tif 000011
【図１０】
2005220656.tif 000012
【図１１】
2005220656.tif 000013
【図１２】
2005220656.tif 000014